(57)【要約】【課題】▲１▼前方に経血が流れやすい人や、前方に経血が流れやすい姿勢をとったとき、吸収体後部にまだ吸収する余地がありながら、前漏れが生じる。▲２▼後方に経血が流れやすい人や、後方に経血が流れやすい姿勢をとったとき、吸収体全部にまだ吸収する余地がありながら、後ろ漏れが生じる。▲３▼使用者によって装着位置に関しての好みがあるが、かかる好みに完全に対応できない。【解決手段】バックシート３側の左右両側には、吸収性物品を下着に固定するための左右一対のウイング部１１が設けられている吸収性物品であって、上記ウイング部１１は、吸収性物品の前後方向に移動可能になされている吸収性物品。【選択図】  図１
2004290589.tif 000002
【特許請求の範囲】
【請求項１】
液体透過性のトップシートと液体不透過性のバックシートと該トップシート及び該バックシート間に位置する液体保持性の吸収体とを有し、該バックシート側の幅方向両側には、吸収性物品を下着に固定するための左右一対のウイング部が設けられている吸収性物品であって、
上記ウイング部は、吸収性物品の前後方向に移動可能になされていることを特徴とする吸収性物品。
【請求項２】
上記ウイング部は、吸収性物品の左右両側縁外方に突出する一対のウイング本体と、両ウイング本体を連結する連結部とからなり、
上記バックシートには、上記ウイング部を保持する保持部材が接合されて、該保持部材と該バックシートとの間に貫通部が形成されており、
上記連結部は、上記貫通部を貫通しており、
上記貫通部は、上記連結部を該貫通部内で吸収性物品の前後方向に移動可能とする長さを有していることを特徴とする請求項１記載の吸収性物品。
【請求項３】
上記貫通部の長さＬが、３５〜９０ｍｍであることを特徴とする請求項２記載の吸収性物品。
【請求項４】
上記貫通部の長さＬと上記連結部の幅Ｗと上記ウイング本体の長さＴとの関係がＷ＜Ｌ＜Ｔであることを特徴とする請求項２または３に記載の吸収性物品。
【発明の詳細な説明】
【０００１】
【発明の属する技術分野】
本発明は、生理用ナプキン、パンティライナー、失禁パッド、紙おむつ等の吸収性物品に係り、特に使用者の装着位置に関する多様な好みに応えると共に、いかなる使用場面でも好適に対応可能で漏れを生じることがない吸収性物品に関する。
【０００２】
【従来の技術】
ズレ防止性を向上させた吸収性物品として、液体透過性のトップシートと液体不透過性のバックシートと該トップシート及び該バックシート間に位置する液体保持性の吸収体とを有し、該バックシート側の左右両側には、吸収性物品を下着に固定するための左右一対のウイング部が設けられている吸収性物品は、種々提案されている。例えば、特許文献１、特許文献２等が挙げられる。
【０００３】
【特許文献１】
特表平８−５０４３５６号公報（請求項１、図１等）
【特許文献２】
特表平９−５１２４５４号公報（請求項１、図１等）
【０００４】
【発明が解決しようとする課題】
しかし、従来のウイング部を有する吸収性物品においては、以下のような問題があった。
▲１▼前方に経血が流れやすい人や、前方に経血が流れやすい姿勢をとったとき、吸収体後部にまだ吸収する余地がありながら、前漏れが生じる。
▲２▼後方に経血が流れやすい人や、後方に経血が流れやすい姿勢をとったとき、吸収体前部にまだ吸収する余地がありながら、後ろ漏れが生じる。
▲３▼使用者によって装着位置に関しての好みがあるが、かかる好みに完全に対応できない。
【０００５】
本発明は、上記従来の問題点に着目してなされたものであり、使用者の装着位置に関する多様な好みに応えると共に、いかなる使用場面でも好適に対応可能で漏れを生じることがない吸収性物品を提供することにある。
【０００６】
【課題を解決するための手段】
本発明者らは、上記課題を解消するために鋭意検討した結果、ウイング部の位置が固定されていることが原因であり、ウイング部の位置をナプキンの長手方向に向けて変更すると上記目的を達成しうることを知見した。
請求項１の発明は、かかる知見に基づいてなされたものであり、液体透過性のトップシートと液体不透過性のバックシートと該トップシート及び該バックシート間に位置する液体保持性の吸収体とを有し、該バックシート側の左右両側には、吸収性物品を下着に固定するための左右一対のウイング部が設けられている吸収性物品であって、上記ウイング部は、吸収性物品の前後方向に移動可能になされている吸収性物品である。
請求項１の吸収性物品によれば、個々人の体液の流され方向の傾向や使用時の姿勢に応じ、前漏れ、後ろ漏れを自在に防止できる。
【０００７】
請求項２の発明は、上記ウイング部は、吸収性物品の左右両側縁外方に突出する一対のウイング本体と、両ウイング本体を連結する連結部とからなり、上記バックシートには、上記ウイング部を保持する保持部材が接合されて、該保持部材と該バックシートとの間に貫通部が形成されており、上記連結部は、上記貫通部を貫通しており、上記貫通部は、上記連結部を該貫通部内で吸収性物品の前後方向に移動可能とする長さを有していることを特徴とする請求項１記載の吸収性物品である。
請求項２の吸収性物品によれば、個々人の体液の流され方向の傾向や使用時の姿勢に応じ、前漏れ、後ろ漏れを自在に防止できるという効果がより一層発揮される。
【０００８】
請求項３の発明は、上記貫通部の長さＬが、３５〜９０ｍｍであることを特徴とする請求項２記載の吸収性物品である。
上記長さＬの更に好ましい範囲は、４０〜６０ｍｍである。
上記長さＬを上述の範囲内とすることにより、ウイング部を吸収性物品の所望の効果を損なうことなく十分に動かすことができる。
【０００９】
請求項４の発明は、上記貫通部の長さＬと上記連結部の幅Ｗと上記ウイング本体の長さＴとの関係がＷ＜Ｌ＜Ｔであることを特徴とする請求項２または３に記載の吸収性物品である。
上述の関係とすることにより、ウイング部を前後方向に動かせ、且つウイングの抜け落ちを防止することができる。
ウイング本体の長さＴは貫通部の長さＬよりも１０〜２０ｍｍ長くするのが、抜け落ち防止の点から好ましく、貫通部の長さＬは連結部の幅Ｗよりも１０〜５０ｍｍ長くするのが、ウイング部の移動範囲を本発明の所望の効果を得るのに十分な移動長さを確保する点から好ましい。
【００１０】
【発明の実施の形態】
以下、本発明の実施の形態に係る生理用ナプキン１の実施の形態を図１〜６に従って説明する。
図１〜４に示す生理用ナプキン１は、液体透過性のトップシート７と液体不透過性のバックシート３と該トップシート７及び該バックシート３間に位置する液体保持性の吸収体５とを有し、該バックシート３側の幅方向左右両側には、生理用ナプキンを下着に固定するための左右一対のウイング部１１が設けられている。
更に、詳述すると、トップシート７とバックシート３とは吸収体５の周縁を囲むようにホットメルト、ヒートシール等で接着されている。
また、吸収体５は、吸収コア５ａとこれを包むクレープ紙５ｂとによって構成されている。
【００１１】
バックシート３の裏面にはショーツに生理用ナプキン１を固定するために通常この種の吸収性物品に用いられる粘着剤が塗布されて粘着部３ａが形成されている。このバックシート３の材料としては、ポリエチレン、ポリプロピン等の遮水材、遮水材に不織布を積層してなるラミネート不織布、遮水材と不織布との間に防水プラスチックフィルムを介装して積層してなるラミネート不織布等が挙げられる。
トップシート７の材料としては、無孔または有孔の不織布や多孔性プラスチックシート等が挙げられる。
【００１２】
吸収コア５ａは、吸水性繊維に高吸水性樹脂を分散混入してなるものである。吸水性繊維としては、パルプ、即ち天然セルロース繊維の他、レーヨン、アセテート等の人工セルロース繊維からなるものが好適材として挙げられる。
更に、ポリエチレン、ポリプロピレン等のオレフィン系、ポリエステル系、ポリアミド系等の親水性合成繊維を併用してもよい。
高吸水性樹脂としては、ポリアクリル酸塩架橋物、自己架橋したポリアクリル酸塩、アクリル酸エステル−酢酸ビニル共重合体架橋物のケン化物、イソブチン・無水マレイン酸共重合体架橋物、ポリスルホン酸塩架橋物、ポリエチレンオキシド、ポリアクリルアミドなどの水膨潤性ポリマーを部分架橋したものなどが挙げられる。これらのうち、吸水量、吸水速度に優れるアクリル酸またはアクリル酸塩系のものが好適である。
【００１３】
そして、本実施形態の生理用ナプキン１においては、上記ウイング部１１は、生理用ナプキン１の前後方向に移動可能になされている。ここで、「前後方向」とは、使用者が装着した際に下着の前身頃側に位置する方を前方、後身頃側に位置する方を後方とした方向である。
具体的には、本実施形態においては、上記ウイング部１１は、吸収性物品の左右両側縁外方に突出する一対のウイング本体１３、１３と、両ウイング本体１３，１３を連結する連結部１５とからなる。本実施形態においてウイング本体１３は、台形状であり、連結部１５は長方形状である。上記バックシート３には、上記ウイング部１１を保持する保持部材１７が接合されて、該保持部材１７と該バックシート３との間に貫通部１９が形成されており、上記連結部１５は、上記貫通部１９を貫通している。保持部材１７は長方形状であり、接合はホットメルトやヒートシールにより行うことができる。上記貫通部１９は、上記連結部１５を該貫通部１９内で吸収性物品の前後方向に移動可能とする長さを有しており、生理用ナプキン１の長手方向（図２の矢印方向）において連結部１５ひいてはウイング部１１の位置を生理用ナプキン１の前後方向に変更できるようになされている。
【００１４】
本実施形態において貫通部１９の長さＬは５０ｍｍである。
また、貫通部１９の上端部の設置位置Ｈは、生理用ナプキンの排血口対応部Ａ（製品を設計する際に通常使用者の排泄部が当接すると考えて吸収性能を高く設計される部分のことで、本実施形態においては生理用ナプキンの前後方向ほぼ中央部で図２のＡが該当する）から上方に１７．５〜４５ｍｍの範囲離れた位置とするのが、ウイング部１１を可能な限り動かしても十分な吸収性能を保持できるので好ましい。
【００１５】
また、本実施形態において貫通部１９の長さＬと上記連結部１５の幅Ｗと上記ウイング本体１３の長さＴとの関係がＷ＜Ｌ＜Ｔである。ウイング本体１３の長さＴは貫通部１９の長さＬよりも１０ｍｍ長く、貫通部１９の長さＬは連結部１５の幅Ｗよりも３０ｍｍ長い。
【００１６】
連結部１５の左右両側縁から生理用ナプキン１の側縁間までの間隔Ｄは、１０〜２０ｍｍとするのが、ウイング部１１が動かし易いので好ましい。
連結部１５のほぼ全面、及びウイング部１１を動かした際にウイング本体１３が当たる可能性のあるバックシート３の領域には、粘着剤が塗布されていない。本実施形態においては、連結部１５の保持部材１７に接する側の面には剥離処理が施されて、剥離部１５ｂが形成されている。また、バックシート３の左右両側縁にも、剥離部３ｂが形成されている。剥離処理としては、この種の生理用ナプキンにおいて通常用いられる剥離処理が特に制限なく用いられる。
【００１７】
また、ウイング本体１３及び保持部材１７の表面には粘着剤が塗布されて粘着部１３ａ，１７ａが形成されている。
ウイング部１１及び保持部材１７の形成材料としてはバックシート３に用いられるものを特に制限なく用いることができるが、保持部材の形成材料としては、こしのある素材を用いるのが好ましい。こしのある素材としては、ポリエチレン、ポリプロピレン、ナイロン、ポリエステルなどが挙げられる。
また、特に図示しないが、ウイング本体１３の粘着部１３ａは離形シートで保護されている。このようにすることにより、ウイング本体の粘着部１３ａがくっついてしまい装着操作性を低下させることがなくなる。
【００１８】
本実施形態の生理用ナプキン１は、連結部１５を貫通部１９内で生理用ナプキン１の前後方向（図２の矢印方向）にスライドさせることにより、ウイング部１１を生理用ナプキン１の前後方向に移動させることができる。例えば、ウイング部１１を生理用ナプキン１の前方に移動させた場合には、図５に示すようにショーツ２１の後身頃２１ｂ側に生理用ナプキン１が位置するようになり、ウイング部を生理用ナプキン１の後方に移動させた場合には、図６に示すようにショーツ２１の前身頃２１ａ側に生理用ナプキンが位置する。
【００１９】
このように使用できる本実施形態の生理用ナプキン１は、個々人の経血の流され方向の傾向や使用時の姿勢に応じ、前漏れ、後ろ漏れを自在に防止できる。
また、ウイング部１１が前後方向に移動できるので、ウイング部１１を余り大きくする必要がないため使いやすい
また、上述の関係を満足する場合には、ウイング部１１を移動させても横方向に抜け落ちることがない。
ウイング部１１を動かしやすく、且つ製品を下着の幅方向中央に貼り損ねたときにも保持部材１５と生理用ナプキン１の側縁との間の長さがあるので対応できる。
上述の剥離部を形成した場合には、装着時にウイング部１１がバックシート３の粘着部分につかず、装着しやすい。
【００２０】
以上、本発明の実施の形態を説明したが、本発明の具体的構成がこの実施の形態に限定されるものではなく、本発明の要旨から外れない範囲での設計変更等があっても本発明に含まれる。
ウイング本体１３の粘着部１３ａは、ウイング本体１３の全面に形成されていても良い。また、ウイング本体１３の形状は、長方形状とすることもできる。また、上述の実施形態においては、生理用ナプキンの幅方向外方向に向かうに従って長さが小さくなる台形状としているが、逆に幅方向外方向に向かうに従って長さが大きくなる台形状とすることもできる。
【００２１】
【発明の効果】
以上説明したように、本発明の吸収性物品は、使用者の装着位置に関する多様な好みに応えると共に、いかなる使用場面でも好適に対応可能で漏れを生じることがないものである。
【図面の簡単な説明】
【図１】図１は、本発明の好ましい１実施形態としての生理用ナプキンのバックシート側を示す斜視図である。
【図２】図２は、図１に示す生理用ナプキンのバックシート側を示す平面図である。
【図３】図３は、図２に示す生理用ナプキンのＩＩ−ＩＩ断面図である。
【図４】図４は、図２に示す生理用ナプキンのＩＩＩ−ＩＩＩ断面図である。
【図５】図５は、図１に示す生理用ナプキンの１使用態様を示す模式図である。
【図６】図６、図１に示す生理用ナプキンの１使用態様を示す模式図である。
【符号の説明】
１    生理用ナプキン
３    バックシート
５    吸収体
５ａ  吸収コア
５ｂ  クレープ紙
７    トップシート
１１    ウイング部
１３    ウイング本体
１５    連結部
１７    保持部材
１９    貫通部
２１    ショーツ
【図１】
2004290589.tif 000003
【図２】
2004290589.tif 000004
【図３】
2004290589.tif 000005
【図４】
2004290589.tif 000006
【図５】
2004290589.tif 000007
【図６】
2004290589.tif 000008